(57)【要約】【課題】被記録媒体の検出センサーを備える記録装置において、該検出センサーにインクミストや紙粉などが付着するなどして、該検出センサーによる被記録媒体の検出能力が低下することを抑制する。【解決手段】被記録媒体の搬送機構２と、前記搬送機構２による前記被記録媒体の搬送経路５に面した開口部１２と、前記搬送経路５に対して前記開口部１２の奥に設けられた光学センサー９と、前記光学センサー９を遮蔽可能なシャッター１０と、を備えることを特徴とする。【選択図】図５
2014188739.tif 000002
【特許請求の範囲】
【請求項１】
被記録媒体の搬送機構と、
前記搬送機構による前記被記録媒体の搬送経路に面した開口部と、
前記搬送経路に対して前記開口部の奥に設けられた光学センサーと、
前記光学センサーを遮蔽可能なシャッターと、を備えることを特徴とする記録装置。
【請求項２】
請求項１に記載の記録装置において、
該記録装置は、
被記録媒体にインクを吐出して記録可能な記録ヘッドと、
前記記録ヘッドを搭載して往復移動可能なキャリッジと、を備え、
前記開口部と前記光学センサーと前記シャッターとは、前記キャリッジの前記搬送経路に面した底部に設けられることを特徴とする記録装置。
【請求項３】
請求項２に記載の記録装置において、
前記シャッターは、前記光学センサーと前記開口部との間に設けられていることを特徴とする記録装置。
【請求項４】
請求項１から３のいずれか１項に記載の記録装置において、
前記シャッターの光学センサー側の面は前記光学センサーから照射された光を減光する減光手段を備えることを特徴とする記録装置。
【請求項５】
請求項２または３に記載の記録装置において、
該記録装置は、前記キャリッジの移動に伴って前記シャッターが開閉する機構を備えていることを特徴とする記録装置。
【発明の詳細な説明】
【技術分野】
【０００１】
本発明は、被記録媒体の検出センサーを備える記録装置に関する。
【背景技術】
【０００２】
従来から、被記録媒体の検出センサーを備える記録装置が開示されている。このような記録装置においては、該検出センサーにインクミストや紙粉などが付着するなどして、該検出センサーによる被記録媒体の検出能力が低下する場合があった。そこで、このような記録装置において、被記録媒体の検出能力が低下することを抑制する技術が開示されている。  
例えば、特許文献１には、被記録媒体の検出センサーと被記録媒体の搬送経路との間に透明防塵カバーを備える記録装置が開示されている。  
また、特許文献２には、記録ヘッドを搭載して往復移動するキャリッジに被記録媒体の表面を検出する検出センサーが設けられ、また、該検出センサーのレンズ面を開閉するシャッターが設けられた記録装置が開示されている。
【０００３】
また、被記録媒体の検出センサーとは別の目的でセンサーが設けられる記録装置も開示されている。  
例えば、特許文献３には、インクの有無を確認するためのセンサーが設けられた記録装置が開示されている。
【先行技術文献】
【特許文献】
【０００４】
【特許文献１】特開平４−１９１６９１号公報
【特許文献２】特開２０１０−６４２６６号公報
【特許文献３】特開平９−９４９４７号公報
【発明の概要】
【発明が解決しようとする課題】
【０００５】
しかしながら、特許文献１に開示される記録装置においては、透明防塵カバーは開閉しないので、透明防塵カバーにインクミストや紙粉などが付着することにより経時劣化し、検出センサーによる被記録媒体の検出能力が低下する場合があった。  
また、特許文献２に開示される記録装置においては、検出センサーは剥き出しで設けられており、記録中はシャッターが開いているため、記録中に検出センサーにインクミストや紙粉などが付着しやすい。このため、検出センサーによる被記録媒体の検出能力が低下する場合があった。  
なお、特許文献３に開示される記録装置はインクの有無を確認するためのセンサーが設けられているにすぎず、特許文献３には被記録媒体の検出能力が低下することを抑制することに関する記載及び示唆はない。被記録媒体の検出センサーとインクの有無を確認するためのセンサーとでは求められる性能及び構成が異なり、検出センサーによる被記録媒体の検出能力が低下することを抑制する構成とはなっていない。
【０００６】
そこで、本発明の目的は、被記録媒体の検出センサーを備える記録装置において、該検出センサーにインクミストや紙粉などが付着するなどして、該検出センサーによる被記録媒体の検出能力が低下することを抑制することである。
【課題を解決するための手段】
【０００７】
上記課題を解決するための本発明の第１の態様の記録装置は、被記録媒体の搬送機構と、前記搬送機構による前記被記録媒体の搬送経路に面した開口部と、前記搬送経路に対して前記開口部の奥に設けられた光学センサーと、前記光学センサーを遮蔽可能なシャッターと、を備えることを特徴とする。
【０００８】
本態様によれば、被記録媒体の検出が可能な前記光学センサーを遮蔽することが可能なシャッターを備えているうえ、前記光学センサーはインクミストや紙粉などが付着しやすい前記搬送経路に対して前記開口部の奥に設けられている。すなわち、シャッターが開いている間も、前記光学センサーにインクミストや紙粉などが付着することを抑制可能な構成となっている。このため、前記検出センサーによる被記録媒体の検出能力が低下することを抑制することができる。
【０００９】
本発明の第２の態様の記録装置は、前記第１の態様において、該記録装置は、被記録媒体にインクを吐出して記録可能な記録ヘッドと、前記記録ヘッドを搭載して往復移動可能なキャリッジと、を備え、前記開口部と前記光学センサーと前記シャッターとは、前記キャリッジの前記搬送経路に面した底部に設けられることを特徴とする。
【００１０】
ここで「前記キャリッジの前記搬送経路に面した底部」とは、前記キャリッジの前記搬送経路に面していれば、前記キャリッジの鉛直方向の最下部から多少ずれた位置も含む意味である。  
本態様によれば、前記開口部と前記光学センサーと前記シャッターとは、前記キャリッジの前記搬送経路に面した底部に設けられる。このため、前記記録ヘッドによる記録可能領域において被記録媒体の検出が可能になるうえ、被記録媒体との距離が短く構成できるので高い精度で被記録媒体の検出が可能になる。
【００１１】
本発明の第３の態様の記録装置は、前記第２の態様において、前記シャッターは、前記光学センサーと前記開口部との間に設けられていることを特徴とする。
【００１２】
本態様によれば、前記シャッターは、前記光学センサーと前記開口部との間に設けられている。このため、前記シャッターと被記録媒体が干渉して被記録媒体の搬送不良が生じることを抑制できる。
【００１３】
本発明の第４の態様の記録装置は、前記第１から第３のいずれか１つの態様において、前記シャッターの光学センサー側の面は前記光学センサーから照射された光を減光する減光手段を備えることを特徴とする。
【００１４】
本態様によれば、前記シャッターの光学センサー側の面は前記光学センサーから照射された光を減光する減光手段を備える。このため、例えば誤動作でシャッターが開かない場合において、被記録媒体が搬送されていないにもかかわらず光学センサーから照射された光を該光学センサーが受光して被記録媒体を誤検出することを抑制することができる。
【００１５】
本発明の第５の態様の記録装置は、前記第２又は第３の態様において、該記録装置は、前記キャリッジの移動に伴って前記シャッターが開閉する機構を備えていることを特徴とする。
【００１６】
本態様によれば、前記キャリッジの往復移動に伴って前記シャッターの開閉を行うことが可能である。このため、別途複雑な前記前記シャッターの開閉機構を用意することなく、簡単に前記シャッターの開閉を行うことが可能になる。
【図面の簡単な説明】
【００１７】
【図１】本発明の一実施例の記録装置を表す概略平面図。
【図２】本発明の一実施例のキャリッジをインクの吐出面側から見た概略図。
【図３】本発明の一実施例の記録装置を表す概略側断面図。
【図４】シャッターを閉じた状態の本発明の一実施例のキャリッジをインクの吐出面側から見た概略図。
【図５】シャッターを開けた状態の本発明の一実施例のキャリッジをインクの吐出面側から見た概略図。
【図６】カバーを取り外し、シャッターを閉じた状態の本発明の一実施例のキャリッジをインクの吐出面側から見た概略図。
【図７】カバーを取り外し、シャッターを開けた状態の本発明の一実施例のキャリッジをインクの吐出面側から見た概略図。
【図８】シャッターを閉じた状態の本発明の一実施例のキャリッジを記録装置の背面側から見た概略図。
【図９】シャッターを開けた状態の本発明の一実施例のキャリッジを記録装置の背面側から見た概略図。
【図１０】本発明の一実施例のカバーを表す概略斜視図。
【図１１】本発明の一実施例のシャッターを表す概略斜視図。
【図１２】本発明の一実施例のシャッターの移動機構を表す概略斜視図。
【図１３】本発明の一実施例のシャッターの移動機構の回転部を表す概略斜視図。
【図１４】シャッターを閉じた状態の本発明の一実施例のシャッターの移動機構における回転部の位置を表す概略側面図。
【図１５】シャッターを開けた状態の本発明の一実施例のシャッターの移動機構における回転部の位置を表す概略側面図。
【図１６】キャリッジの往復移動に伴ってシャッターを開閉させるために、シャッターの移動機構における押圧部に押圧力を加えることが可能な、進退部の位置を表す記録装置の概略平面図。
【図１７】シャッターの移動機構における押圧部に押圧力を加えない状態における、本発明の一実施例の進退部の位置を表す記録装置の概略平面図。
【図１８】シャッターの移動機構における押圧部に押圧力を加える状態における、本発明の一実施例の進退部の位置を表す記録装置の概略平面図。
【発明を実施するための形態】
【００１８】
［実施例］（図１〜図１８）  
以下に、本発明の実施例に係る記録装置について、添付図面を参照して詳細に説明する。  
最初に、本実施例に係る記録装置１の概略について説明する。図１は本実施例に係る記録装置１の概略平面図である。  
本実施例の記録装置１は、搬送機構２により搬送経路５を搬送方向Ａに搬送される被記録媒体に、搬送方向Ａと交差する方向Ｂに往復移動可能なキャリッジ４に搭載された記録ヘッド３によりインクを吐出して記録する。
【００１９】
次に、本実施例のキャリッジ４について詳細に説明する。  
図２は本実施例のキャリッジ４をインクの吐出面６側から見た概略図であり、図３は本実施例に係る記録装置１の概略側断面図である。  
キャリッジ４は記録ヘッド３を搭載して方向Ｂに往復移動する。そして、記録ヘッド３は、吐出面６に設けられた各々複数のノズルで構成されたノズル列７ａ〜７ｄから、インクを吐出する。本実施例の記録装置１は、キャリッジ４及び記録ヘッド３をこのように駆動することによって、搬送機構２により搬送経路５を搬送方向Ａに搬送される被記録媒体に記録可能である。  
また、キャリッジ４のインクの吐出面６側（搬送経路５に面した底部）には、被記録媒体の検出センサーとしての光学センサー９のシャッター機構８が設けられている。
【００２０】
次に、本実施例のシャッター機構８について詳細に説明する。  
図４は、シャッター１０を閉じた状態の本実施例のキャリッジ４をインクの吐出面６側から見た概略図であり、図５は、シャッター１０を開けた状態の本実施例のキャリッジ４をインクの吐出面６側から見た概略図である。  
また、図６は、カバー１１を取り外し、シャッター１０を閉じた状態の本実施例のキャリッジ４をインクの吐出面６側から見た概略図であり、図７は、カバー１１を取り外し、シャッター１０を開けた状態の本実施例のキャリッジ４をインクの吐出面６側から見た概略図である。  
また、図８は、シャッター１０を閉じた状態の本実施例のキャリッジ４を記録装置１の背面側から見た概略図であり、図９は、シャッター１０を開けた状態の本実施例のキャリッジ４を記録装置１の背面側から見た概略図である。
【００２１】
本実施例のシャッター機構８は、被記録媒体の搬送経路５に面した開口部１２と、開口部１２の開閉を行う（光学センサー９を遮蔽可能な）シャッター１０と、キャリッジ４の底部を構成するカバー１１と、シャッター１０の移動機構１３とを備えている。そして、これらはキャリッジ４の搬送経路５に面した底部に設けられている。ここで、開口部１２は、キャリッジ４とカバー１１との何れにも設けられており、両者が合わさるように構成されている。  
なお、光学センサー９は、搬送経路５に対して開口部１２の奥に設けられている。すなわち、シャッター１０は、光学センサー９と開口部１２との間に設けられている。このため、シャッター１０が開いている間も、光学センサー９にインクミストや紙粉などが付着することを抑制可能な構成となっている。  
また、シャッター１０は、光学センサー９とカバー１１との間に設けられており、カバー１１に保護されている。また、シャッター１０は、シャッター１０の移動機構１３によって方向Ｂに移動することにより開口部１２の開閉を行う。
【００２２】
次に、本実施例のカバー１１について詳細に説明する。  
図１０は、本実施例のカバー１１を表す概略斜視図である。  
本実施例のカバー１１は、開口部１２が設けられるとともに、キャリッジ４の搬送経路５に面した底部を構成し、キャリッジ４に固定されている。このような構成により、シャッター１０と被記録媒体が干渉して被記録媒体の搬送不良が生じることを抑制できる。ただし、このようなカバーを備える構成に限定されない。
【００２３】
次に、本実施例のシャッター１０について詳細に説明する。  
図１１は、本実施例のシャッター１０を表す概略斜視図である。  
本実施例のシャッター１０の光学センサー９側の面２１は、光の反射方向をずらすことが可能な凹凸形状２２である。このため、例えば誤動作でシャッター１０が開かない場合において、被記録媒体が搬送されていないにもかかわらず光学センサー９から照射された光を該光学センサー９が受光して被記録媒体を誤検出することを抑制することができる。  
また、本実施例のシャッター１０の光学センサー９側の面２１は、光の反射を抑制することが可能な黒色である。このため、例えば誤動作でシャッター１０が開かない場合において、被記録媒体が搬送されていないにもかかわらず光学センサー９から照射された光を該光学センサー９が受光して被記録媒体を誤検出することを抑制することができる。  
すなわち、本実施例のシャッター１０の光学センサー９側の面２１における凹凸形状２２及び該面２１が黒色であることは、何れも、光学センサー９から照射された光を減光する減光手段である。
【００２４】
次に、本実施例のシャッター１０の移動機構１３について詳細に説明する。  
図１２は、本実施例のシャッター１０の移動機構１３を表す概略斜視図である。  
本実施例のシャッター１０の移動機構１３は、方向Ｃに押圧力が加えられる毎にシャッター１０の開閉を行うプッシュプッシュ式の移動機構である。ここで、「プッシュプッシュ式」とは、押釦等の押圧部を１回押すと押圧部は押し込み位置で止まり、もう１回押すと止まった状態が解除されて初期位置に復帰するように動作する方式を意味する。本実施例のシャッター１０の移動機構１３は、シャッター１０が取り付けられた押圧部１４と、押圧部１４に方向Ｃに押圧力が加えられる毎に回転方向Ｄに４５度ずつ回転する回転部１５と、軸部１６とを有している。  
なお、回転部１５には回転方向Ｄに対して９０度毎に凸部２３が設けられ、押圧部１４には回転方向Ｄにおいて９０度毎に凸部２４が設けられている。
【００２５】
図１３は、本実施例のシャッター１０の移動機構１３の回転部１５を表す概略斜視図である。  
回転部１５は、押圧部１４と接触する側の端部に９０度間隔で凸部１７を４つ有しており、押圧部１４に方向Ｃに押圧力が加えられる毎に回転方向Ｄに４５度ずつ回転する。
【００２６】
図１４は、シャッター１０を閉じた状態の本実施例のシャッター１０の移動機構１３における回転部１５の位置を表す概略側面図であり、図１５は、シャッター１０を開けた状態の本実施例のシャッター１０の移動機構１３における回転部１５の位置を表す概略側面図である。  
また、図１４及び図１５は何れも図１２における方向Ｃ側から見た図である。
【００２７】
本実施例のシャッター１０の移動機構１３は、押圧部１４に方向Ｃに押圧力が加えられる毎に回転部１５が回転方向Ｄに４５度ずつ回転する。すなわち、押圧部１４に方向Ｃに押圧力が加えられる毎に、図１４の状態及び図１５の状態を繰り返す。  
本実施例のシャッター１０の移動機構１３では、押圧部１４及び回転部１５は不図示のばねにより方向Ｃと反対方向に付勢されている。しかしながら、図１５では、回転部１５の凸部１７と該凸部１７と係合可能な押圧部１４に設けられた係合部１８とが係合することによって押し込み位置で止まり、本実施例のシャッター１０の移動機構１３はシャッター１０を開けた状態に保っている。一方、図１４では、凸部１７と係合部１８との係合が外れることによって押圧部１４及び回転部１５が方向Ｃと反対方向に初期位置まで移動し、本実施例のシャッター１０の移動機構１３はシャッター１０を閉じた状態に保っている。なお、方向Ｃ側から見ると、シャッター１０を閉じた状態（図１４）では凸部２３と凸部２４とが重なる位置となり、シャッター１０を開けた状態（図１５）では凸部２３と凸部２４とが回転方向Ｄにおいて４５度ずれた位置となる。  
また、図１４で表されるように、シャッター１０の光学センサー９側の面２１は、光学センサー９と対向する位置に凹凸形状２２が設けられている。
【００２８】
次に、本実施例のシャッター１０の移動機構１３における押圧部１４の押圧動作について詳細に説明する。  
図１６は、キャリッジ４の往復移動に伴ってシャッター１０を開閉させるために、シャッター１０の移動機構１３における押圧部１４に押圧力を加えることが可能な、進退部１９の位置を表す記録装置１の概略平面図である。  
図１６で表されるように、キャリッジ４の往復移動に伴うキャリッジ４の移動経路２０に、搬送方向Ａと沿う方向に移動することにより、進退可能な進退部１９を備えている。なお、本実施例の進退部１９は不図示のソレノイドにより搬送方向Ａと沿う方向に移動する構成であるが、このような構成に限定されない。
【００２９】
図１７は、シャッター１０の移動機構１３における押圧部１４に押圧力を加えない状態における、本実施例の進退部１９の位置を表す記録装置１の概略平面図であり、図１８は、シャッター１０の移動機構１３における押圧部１４に押圧力を加える状態における、本実施例の進退部１９の位置を表す記録装置１の概略平面図である。  
図１７及び図１８で表されるように、進退部１９は、搬送方向Ａと沿う方向に移動することにより、押圧部１４に押圧力を加えない状態においては、キャリッジ４の移動経路２０に進入しないよう、押圧部１４と接触しない位置に移動（退出）する。そして、押圧部１４に押圧力を加える状態においては、キャリッジ４の移動経路２０に進入するよう、押圧部１４と接触する位置に移動する。こうして、進退部１９は、キャリッジ４の移動経路２０に進入することにより、該キャリッジ４の往復移動に伴って押圧部１４に押圧力を加えることができる。
【００３０】
上記実施例の記録装置１においては、光学センサー９及びシャッター機構８がキャリッジ４の底部に設けられるが、このような構成に限定されない。これらが被記録媒体の搬送経路に面した位置に設けられていればよく、例えば、プラテン等の被記録媒体の支持部にこれらが設けられていてもよい。
【００３１】
上記実施例の記録装置１は、プッシュプッシュ式のシャッター１０の移動機構が設けられ、キャリッジ４の往復移動における片側で押圧部１４に押圧力を加えてシャッター１０の開閉を行うことが可能な構成である。このため、簡単な方式でシャッター１０の開閉を行うことが可能であるうえ、別途複雑な押圧部１４の押圧機構（シャッター１０の開閉機構）を用意することなく、簡単にシャッター１０の開閉を行うことが可能である。しかしながら、このような構成に限定されず、シャッターの移動機構の押圧部をキャリッジの往復移動方向においてキャリッジの両側に設け、キャリッジの往復移動における両側で押圧部に押圧力を加えてシャッターの開閉を行うことが可能な構成としてもよい。
【符号の説明】
【００３２】
１  記録装置、２  搬送機構、３  記録ヘッド、４  キャリッジ、５  搬送経路、
６  吐出面、７ａ〜７ｄ  ノズル列、８  シャッター機構、９  光学センサー、
１０  シャッター、１１  カバー、１２  開口部、１３  シャッター１０の移動機構、
１４  押圧部、１５  回転部、１６  軸部、１７  凸部、１８  係合部、
１９  進退部、２０  キャリッジ４の移動経路、
２１  シャッター１０の光学センサー９側の面、２２  凹凸形状、２３  凸部、
２４  凸部
【図１】
2014188739.tif 000003
【図２】
2014188739.tif 000004
【図３】
2014188739.tif 000005
【図４】
2014188739.tif 000006
【図５】
2014188739.tif 000007
【図６】
2014188739.tif 000008
【図７】
2014188739.tif 000009
【図８】
2014188739.tif 000010
【図９】
2014188739.tif 000011
【図１０】
2014188739.tif 000012
【図１１】
2014188739.tif 000013
【図１２】
2014188739.tif 000014
【図１３】
2014188739.tif 000015
【図１４】
2014188739.tif 000016
【図１５】
2014188739.tif 000017
【図１６】
2014188739.tif 000018
【図１７】
2014188739.tif 000019
【図１８】
2014188739.tif 000020